(57)【要約】【課題】  作業中に害虫が入り植物に危害を及ぼすことがなく、高設栽培を可能とするコンパクトなプラスチックハウスを得る。【解決手段】  合成樹脂製の薄膜でチューブ状に形成された植物栽培容器１と、この植物栽培容器１を保持する一対の保持棒３と、この保持棒３を支持する支持台４と、上記植物栽培容器１に設けられ、用土５や植物等の出し入れと、誘引や収穫等の作業を行うための、複数の切れ目２とを備える。【選択図】図１
2010119376.tif 000002
【特許請求の範囲】
【請求項１】
合成樹脂製の薄膜でチューブ状に形成された植物栽培容器と、この植物栽培容器を保持する一対の保持棒と、この保持棒を支持する支持台と、上記植物栽培容器に設けられ、用土や植物等の出し入れと、追肥や収穫等の作業を行うための、複数の切れ目とを備えたことを特徴とするプラスチックハウス。
【請求項２】
上記複数の切れ目は、植物栽培容器の長手方向に対して直角に設け、高設栽培を可能としたことを特徴とする請求項１記載のプラスチックハウス。
【請求項３】
上記支持台に設置した上記一対の保持棒は、その間隔を変えることで、植物栽培容器の形状を変化できることを特徴とする請求項１又は２記載のプラスチックハウス。
【請求項４】
植物栽培容器を二重構造にし、植物栽培容器間に生じた空間に温度制御した空気や水を流通させることを特徴とする請求項１から３のいずれか一項に記載のプラスチックハウス。
【発明の詳細な説明】
【技術分野】
【０００１】  本発明は、植物栽培の目的によって、プラスチックハウスの高設栽培、形状変化、温度制御、水中栽培、連作を可能とした、人が出入りしないコンパクトなプラスチックハウスに関するものである。
【背景技術】
【０００２】  従来、ハウス内に人が出入りしないコンパクトなプラスチックハウスとして、トンネルハウスがあるが、通常のトンネルハウスでは、弧状にした骨組みの両端を地面に突き刺し、その外側に透明シートを張設し、この透明シートを持ち上げて、植物の出し入れや収穫等の作業を行っている。【０００３】  また、トンネルハウスの設置を簡単にするものとして、軽量金属等で骨組したトンネルハウスを地面に設置し、このトンネルハウスの一端を固定し、一端を持ち上げて、つっかい棒で支持し、植物の出し入れや収穫等の作業を行うものがある。（特許文献１参照）
【特許文献１】  特開２００２−０６５０７８号公報
【発明の開示】
【発明が解決しようとする課題】
【０００４】  上述した、従来のハウス内に人が出入りしないコンパクトなトンネルハウスでは、透明シートやトンネルハウスの一端を持ち上げて植物の出し入れや収穫等の作業を行うため、作業中に害虫が入り、植物に危害を及ぼすと言う問題点があった。【０００５】  また、従来のトンネルハウスでは、地面に骨組みを突き刺したり、地面に骨組みを設置しているため、高設栽培による作業環境の改善が困難と言う問題点があった。【０００６】  本発明は、上述の問題点を解決するためになされたもので、作業中に害虫が入り植物に危害を及ぼすことがなく、高設栽培を可能とするコンパクトなプラスチックハウスを得ることを目的とする。
【課題を解決するための手段】
【０００７】  本発明のプラスチックハウスは、合成樹脂製の薄膜でチューブ状に形成された植物栽培容器と、この植物栽培容器を保持する一対の保持棒と、この保持棒を支持する支持台と、植物栽培容器に設けられ、用土や植物等の出し入れと、追肥や収穫等の作業を行うための、複数の切れ目とを備えたものである。【０００８】  また、本発明のプラスチックハウスは、複数の切れ目を植物栽培容器の長手方向に対して直角に設け、高設栽培による作業環境の改善を可能とするものである。【０００９】  また、本発明のプラスチックハウスは、支持台に設置した一対の保持棒の間隔を変えることで、植物栽培容器の形状を変化できるものである。【００１０】  本発明のプラスチックハウスは、植物栽培容器を二重構造にし、植物栽培容器間に生じた空間に温度制御した空気や水を流通させるものである。
【発明の効果】
【００１１】  本発明のプラスチックハウスは、植物栽培容器の上面、長手方向に対して直角に複数の切れ目を設けている。植物の出し入れや収穫等の作業では、作業箇所の切れ目が開口し、その他の切れ目は完全に閉じているので、害虫が切れ目から侵入することが困難となり、植物への危害がなくなる効果を得た。【００１２】  また、本発明では、２本の保持棒で用土が入った植物栽培容器を保持している。用土の重さによって植物栽培容器が切断して落下しない様に、複数の切れ目を植物栽培容器の長手方向に対して直角に設けている。これは、切れ目によって植物栽培容器の強度を低下させないためで、これによって高設栽培が可能となり作業環境の改善が得られた。
【発明を実施するための最良の形態】
【００１３】実施の形態１
図１は、本発明の実施の形態１を示すプラスチックハウスの斜視図である。図において、１００は人が出入りしないコンパクトな高設栽培のプラスチックハウスである。１は植物栽培容器であり、合成樹脂製の薄膜でチューブ状に形成されており、植物栽培容器１の両端部は、融着により密閉している。２は植物栽培容器１の上面に形成された複数の切れ目であり、この切れ目２から用土５や植物等の出し入れと、追肥や収穫等の作業を行うことができる。３は植物栽培容器１を保持する一対の保持棒であり、一端の切り目２ａから２本挿入し他端の切り目２ａから抜き出している。４は保持棒３を支持する支持台であり、保持棒３を支える支持棒４ａと、複数の支柱４ｂで構成されている。また、一対の保持棒３は矢印Ａ方向に移動させて自由に間隔を変えることができる。保持棒３は直交クランプで固定している。５は植物を栽培する用土である。６は植物栽培容器１の底面に設けた排水口であり、止水できる構造となっている。【００１４】  本発明の合成樹脂製の薄膜チューブの材質は、防湿性、耐水性のよい低密度ポリエチレンで、剛性を高めた三層構成のラミネートチューブである。用土５の量、栽培する植物及び畑の大きさにより、植物栽培容器１は、厚さ０．１５ｍｍ、幅４８０ｍｍ、長さ２０ｍとした。この植物栽培容器１は、重さ２４トンまで耐えることができる。保持棒３の幅を２００ｍｍとした場合、高さが２８０ｍｍとなり、栽培植物容器１に用土５を満杯にした時には用土５の重さは２．７トンとなる。これによって植物栽培容器１は、用土５の重さに十分耐えることができ、高設栽培が可能なことが分かる。また、植物栽培容器１の長さは、数メートルから数十メートルで、百メートル以上の長さも可能である。【００１５】  本発明の保持棒３や支持台４は、直径５０ｍｍの単管パイプを使用している。この理由は、強くて豊富な金具を有するからである。単管パイプは非常に強いので用土５や水の重さに十分耐えることができ、台風等の強風下でも大丈夫である。また、組み立て金具が豊富で安価なので、施工が短時間となり低コストに繋がるメリットがある。【００１６】  本発明の最も独創的なことは、植物栽培容器１に切れ目２を設けたことである。この切れ目２を設けることによって、植物栽培容器１の高設栽培が可能となるとともに、農業資材の出し入れや農作業も可能となる。【００１７】  切れ目２は、植物の種類によって長さや幅を適切に変える。通常では、切れ目２は、長さ２５ｃｍ、幅１０ｃｍ前後が便利である。また、植物の背丈が高い場合には、切れ目２と切れ目２の間を部分的に切り取って、植物栽培容器１より植物をはみ出して栽培することも可能である。【００１８】  長尺の植物栽培容器１に用土５を入れて高設栽培した場合、植物栽培容器１への応力は、主に断面方向に働くが、断面方向に切り目２を入れた場合には、応力に耐えることができ、植物栽培容器１が切断する危険性が少ない。また、長期使用による植物栽培容器１の強度低下に関しては、ラミネートチューブは肥料用袋として多くの実績があるので問題はない。以上の点から、本発明の植物栽培容器１は、高設栽培にも十分耐えられる。【００１９】  また、植物の種類等によって保持棒３の間隔を変えることができる。例えば、育苗する場合には、用土５の厚さが薄くて良いので、保持棒３の間隔を拡大させて用土５の表面積を増し、生産性の向上に繋げる。逆に、背丈の高い植物では、保持棒３の間隔を狭めて植物が十分育つ広い空間を作る。【００２０】  また、本発明のプラスチックハウスは、雑草や害虫から隔離して野菜等を栽培するので、農薬と化成肥料を使用しない有機野菜の栽培に適している。【００２１】  また、本発明では、プラスチックハウス内の用土５のみで栽培を行うので、ＰＨとＥＣの管理が容易となる。【００２２】  さらに、最近、食料自給率の向上が求められているが、本発明のプラスチックハウスを活用すれば、雑草等で荒れている田や畑を直ちに活用でき、食料自給率の向上に繋がる顕著な効果がある。【００２３】  次に、上述したプラスチックハウスを用いて植物を栽培する手順を説明する。
先ず、用土５は、真砂土に元肥の牛糞堆肥を加え、牡蠣殻石灰、油粕、骨粉、草木灰等でＰＨとＥＣを調整し、クマザサ、カヤ等の有機物を配合し、さらに、軽量化のために籾殻、ピートモス、バーク堆肥等を配合して、各々の切れ目２から約１トンの用土５を挿入する。この場合、プラスチックハウスの用土５の高さが１００ｍｍ、空間部の高さが１８０ｍｍとなる。
次に、切り目２を通じて種を播種し、発芽、生長を経て成熟したら、再び切れ目２を通じて収穫する。夏季は、プラスチックハウスの温度上昇を低減させるため、寒冷紗等を被覆し、冬季は、不織布等を被覆して保温に努める。また、プラスチックハウスの上部に切れ目２を入れているので、雨水がプラスチックハウス内に入り、散水回数を少なくすることができる。
次に、収穫後、用土５はカビの一種であるフザリウム菌等が繁殖して連作が困難なので、排水口６を閉じて、水で用土５を浸し、フザリウム菌等を死滅させる。これによって、連作が可能となる。【００２４】実施の形態２
図２は、本発明の実施の形態２を示す二段のプラスチックハウスの斜視図である。この図が示すように、図１のプラスチックハウスを二段にすることで、植物の生産性が２倍となる効果がある。【００２５】  また、上段は、日当たりを好むイチゴや観葉植物等の栽培に適し、下段は、日陰で育つミツバやセリ等の栽培に適している。【００２６】実施の形態３
図３は、本発明の実施の形態３を示す背丈の高いプラスチックハウスの斜視図である。図において３００は、背丈の高いプラスチックハウスである。図が示すように、プラスチックハウスの背丈が高いので、作業面から植物栽培容器１の横面に切れ目２を入れている。【００２７】  また、このプラスチックハウスでは、背丈が高くなるトマト、キューリ、ゴーヤ等の栽培に適している。【００２８】  図４は、本発明のプラスチックハウスでカブを栽培している説明図である。この図が示すように、植物栽培容器１に成熟したカブ７ａが栽培されている。【００２９】  この場合、カブ７ａが成熟する大きさを考慮して、保持棒３の間隔を調節する。【００３０】  図５は、本発明のプラスチックハウスを水に浸しイネを栽培している説明図である。この図が示すように、排水口６を閉じて用土５を水８で浸せば、イネ７ｂの栽培が可能となる。【００３１】  また、簡単に用土５を水で浸すことが出来るので、従来は困難であった土壌消毒が容易となり、野菜等の連作が可能となる大きなメリットがある。【００３２】  図６は、本発明のプラスチックハウスの形状を変えた説明図である。図が示すように、（Ａ）、（Ｂ）ともに、同じサイズの植物栽培容器１で、用土５の量も同じだが、栽培する野菜によって保持棒３の間隔を調節している。（Ａ）は保持棒３を狭めることにより、用土５が高くなり根菜類のニンジン７ｃの栽培に適し、（Ｂ）は逆に保持棒３を広げることによって、用土５が低くなり葉茎類のホウレンソウ７ｄの栽培に適する。【００３３】実施の形態７
図７は、本発明の実施の形態７を示す植物栽培容器の断面図である。図において７００は二重構造のプラスチックハウスである。また、９は第２の植物栽培容器であり、植物栽培容器１の外側をプラスチックフィルム囲み二重構造としている。【００３４】  植物栽培容器１と第２の植物栽培容器９との空間に温度制御した空気１０を流すことで、プラスチックハウスの昇温や冷却が可能となる。実際には、摂氏２０度前後に空調することで、真冬や真夏でもカブ７ａの栽培が可能となる。【００３５】  また、空気１０でなく水の場合には、第２の植物栽培容器の底面に地下水や温水を流して温度制御する。
【図面の簡単な説明】
【００３６】
【図１】  本発明の実施の形態１を示すプラスチックハウスの斜視図である。
【図２】  本発明の実施の形態２を示す二段のプラスチックハウスの斜視図である。
【図３】  本発明の実施の形態３を示す背丈の高いプラスチックハウスの斜視図である。
【図４】  本発明のプラスチックハウスでカブを栽培している説明図である。
【図５】  本発明のプラスチックハウスを水に浸しイネを栽培している説明図である。
【図６】  本発明のプラスチックハウスの形状を変えた説明図である。
【図７】  本発明の実施の形態７を示す植物栽培容器の断面図である。
【符号の説明】
【００３７】  １    植物栽培容器
２    切れ目
３    保持棒
４    支持台
４ａ  支持棒
４ｂ  支柱
５    用土
８    水
９    第２の植物栽培容器
１０    空気
【図１】
2010119376.tif 000003
【図２】
2010119376.tif 000004
【図３】
2010119376.tif 000005
【図４】
2010119376.tif 000006
【図５】
2010119376.tif 000007
【図６】
2010119376.tif 000008
【図７】
2010119376.tif 000009